(57)【特許請求の範囲】
【請求項１】
電番情報が添付されたデータを保存しうるメモリと、
該メモリに保存されている該データを表示するためのデータ表示部と、
該データ表示部に表示中のデータに添付されている該電番情報に対する選択・決定操作を検出する選択・決定操作検出部と、
該選択・決定操作検出部にて該選択・決定操作が検出されると、該電番情報への発呼処理を実行する発呼制御部と、
該発呼制御部による発呼処理開始後に該データ表示部の表示状態を、前記メモリに保存された該データの表示状態に更新制御する表示制御部とをそなえたことを特徴とする、携帯無線端末。
【請求項２】
該表示制御部が、
該発呼処理が開始されると、該データ表示部を発呼処理中表示状態に制御した後、該データの再表示状態に制御する再表示制御部をそなえていることを特徴とする、請求項１記載の携帯無線端末。
【請求項３】
該再表示制御部が、
該データ表示部を該発呼処理中表示状態に制御した後、表示切換操作が行なわれることにより該データ表示部を該データの再表示状態に制御するように構成されたことを特徴とする、請求項２記載の携帯無線端末。
【請求項４】
該再表示制御部が、
該データ表示部を該発呼処理中状態に制御した後、音声通話状態に移行すると、該データ表示部を該データの再表示状態に制御するように構成されたことを特徴とする、請求項２記載の携帯無線端末。
【請求項５】
携帯無線端末のデータ表示部に表示中のデータに添付された電番情報に対する選択・決定操作を検出する選択・決定操作検出ステップと、
該選択・決定操作検出ステップで該選択・決定操作が検出されると、該電番情報への発呼処理を実行する発呼ステップと、
該発呼ステップの開始後、該データ表示部の表示状態を、該データの表示状態に更新制御する表示ステップとを有することを特徴とする、携帯無線端末におけるデータ表示方法。
【請求項６】
該表示ステップが、
該発呼ステップが実行されると該データ表示部において発呼中状態表示を行なう発呼中状態表示ステップと、
該発呼中状態表示ステップの実行後に該データを該データ表示部に再表示する再表示ステップとをそなえていることを特徴とする、請求項５記載の携帯無線端末におけるデータ表示方法。
【請求項７】
該再表示ステップが、
該発呼中状態表示ステップの実行後に、表示切換操作が行なわれると、該データを該データ表示部に再表示することを特徴とする、請求項６記載の携帯無線端末におけるデータ表示方法。
【請求項８】
該再表示ステップが、
該発呼中状態表示ステップの実行後に、音声通話状態に移行すると、該データを該データ表示部に再表示することを特徴とする、請求項６記載の携帯無線端末におけるデータ表示方法。
【発明の詳細な説明】
【０００１】
【発明の属する技術分野】
本発明は、携帯無線端末および携帯無線端末におけるデータ表示方法に関する。
【０００２】
【従来の技術】
近年の携帯電話の爆発的な普及により、携帯電話で様々な通信サービスを利用することが可能になってきている。例えば、最近の携帯電話は、音声通話のみでなく、データ通信端末としての用途も広がりつつあり、例えば、電子メールの送受や、インターネット〔ＷＷＷ(World Wide Web)〕上にＨＴＭＬ(Hyper Text Markup Language)文書として所要ＵＲＬ(Uniformed Resource Location)に掲載してある情報（コンテンツ）の閲覧（ブラウジング）なども可能になってきている。
【０００３】
このようなタイプの携帯電話では、通常、受信した電子メールやインターネットブラウジングにより取得した文書（Ｗｅｂデータ）などは一旦メモリなどに保存されてから表示されるので、そのメモリにデータが残ってさえいれば、回線切断後のオフライン状態でも、そのデータの閲覧（オフラインブラウジング）が可能である。
【０００４】
従って、例えば、取得した電子メールやＷｅｂデータなどをオフライン中にディスプレイに表示（オフラインブラウジング）し、そこに、ハイパーリンクなどを用いて添付されている電番に電話をかけるといった利用法も可能である。
なお、このようなデータ通信機能をもった携帯電話には、ディスプレイに表示中の電番を選択した状態で通話開始用のワンタッチボタンを押下すると、自動的に、その電番への発信（発呼）が行なわれるフォーンツー(Phone to)機能と呼ばれる機能がそなえられている場合が多く、ワンタッチで、ディスプレイに表示中の電子メールやＷｅｂデータに添付されている電番に電話をかけることが可能になっている。
【０００５】
【発明が解決しようとする課題】
しかしながら、現行の携帯電話は、上記のフォーンツー機能を用いて発呼した後（発呼中やその後の音声通話中）には表示画面全体がそれを表わす状態（発呼中／通話中状態表示）に切り換わるようになっているため、たとえハンズフリー機能やヘッドホンマイクなどを利用して電話をかけたとしても、発呼前に表示（閲覧）していた画面（電子メールやＷｅｂデータなど）は表示されず、そのデータを閲覧しながらの音声通話を行なうことができない。
【０００６】
つまり、最近の携帯電話にはデータ通信機能により取得したデータを表示する機能が装備されているにもかかわらず、それを活かした音声通話を行なうことができないのである。このため、通常の音声通話のみの会話と同様、通話相手との認識にずれが生じたりして円滑なコミュニケーションを図ることができない場合があり、余分な通話時間延長による課金の増大などが生じる可能性がある。
【０００７】
本発明は、このような課題に鑑み創案されたもので、例えば、ユーザが携帯無線端末で取得したデータに添付されている電番情報にフォーンツー機能などを用いて電話をかけた場合において、発呼前に表示していたデータを表示できるようにすることで、データを参照しながらの音声通話を可能にして、通話相手とのコミュニケーション環境の向上を図れるようにした、携帯無線端末および携帯無線端末におけるデータ表示方法を提供することを目的とする。
【０００８】
【課題を解決するための手段】
上記の目的を達成するために、本発明の携帯無線端末は、電番情報が添付されたデータを保存しうるメモリと、このメモリに保存されているデータを表示するためのデータ表示部と、このデータ表示部に表示中のデータに添付されている該電番情報に対する選択・決定操作を検出する選択・決定操作検出部と、この選択・決定操作検出部にて上記の選択・決定操作が検出されると、上記電番情報への発呼処理を実行する発呼制御部と、この発呼制御部による発呼処理開始後に上記のデータ表示部の表示状態を、前記メモリに保存された該データの表示状態に更新制御する表示制御部とをそなえたことを特徴としている。
【０００９】
上述のごとく構成された本発明の携帯無線端末では、データ表示部に表示中のデータに添付された電番情報に対する選択・決定操作が行なわれる（検出される）と、自動的に、その電番情報への発呼が実行され（発呼ステップ）、この発呼の実行（開始）後、データ表示部の表示状態を、上記データの表示状態に更新制御される（表示ステップ）ので、発呼処理開始後、つまり、発呼中やその後の音声通話中も上記データの閲覧が可能である。
【００１０】
ここで、上記の表示制御部は、上記の発呼処理が開始されると、上記のデータ表示部を発呼処理中表示状態に制御した後、上記データの再表示状態に制御する再表示制御部をそなえていてもよい。本再表示制御部をそなえれば、データ表示部は、上記の発呼処理の開始により、一旦、発呼処理中であることを示す表示状態（発呼中状態表示ステップ）となった後で上記データの再表示状態（再表示ステップ）となるので、上記データの表示前に発呼が正常に行なわれているか否かを確認することができる。
【００１１】
なお、この再表示制御部は、上記のデータ表示部を上記発呼処理中表示状態に制御した後、表示切換操作が行なわれることによりデータ表示部を上記データの再表示状態に制御するように構成されていてもよい。このようにすれば、発呼処理開始後に、手動（表示切換操作）により任意のタイミングで、上記データをデータ表示部に表示させることができる。また、本再表示制御部は、データ表示部を上記発呼処理中状態に制御した後、音声通話状態に移行すると、データ表示部を上記データの表示状態に制御するように構成されていてもよい。このようにすれば、発呼処理後に通話相手との音声通話状態に移行すると、自動的に、データ表示部に上記データが表示される。
【００１２】
さらに、本発明に関連する技術の携帯無線端末は、上記発呼処理が開始されると、データ表示部の表示状態を、前記メモリに保存された上記データの表示と発呼処理中表示との並行表示状態に更新制御する並行表示制御部をそなえていてもよい。本並行表示制御部をそなえれば、データ表示部に上記データを表示したまま発呼処理中表示（並行表示ステップ）を行なうことができるので、上記データを参照しながら発呼の状態も確認できる。
【００１３】
【発明の実施の形態】
以下、図面を参照して本発明の実施の形態を説明する。
図１は本発明の一実施形態としての携帯電話（携帯無線端末）の外観例を模式的に示す平面図で、この図１に示す携帯電話１には、例えば、アンテナ部２，液晶ディスプレイ３，電源／通話ボタン４，切断／保留ボタン５，画面切換用ワンタッチボタン６，カーソルボタン７ａ〜７ｄ，決定ボタン８，テンキー操作部９などが装備されている。
【００１４】
ここで、アンテナ部２は、音声通話時の音声データやデータ通信時の電子メール，携帯電話用ＨＴＭＬ(Hyper Text Markup Language)形式のＷｅｂデータなどの送受を無線回線を通じて行なうためのもので、これらのデータは公衆回線網などの所要の回線網を構成する無線基地局や交換機を介して、通信相手である端末や電話機との間で授受されるようになっている。
【００１５】
また、液晶ディスプレイ〔ＬＣＤ(Liquid Crystal Display)；データ表示部〕３は、受信電子メール（以下、単に「受信メール」という）やＷｅｂデータ等の表示，発信／着信状態の表示などの各種表示を行なうためのもので、ここでは、図２に示すように、表示すべきデータを一時的に保存しておくための表示データ保存メモリ３１がそなえられている。さらに、電源／通話ボタン４は、携帯電話１の電源のＯＮ／ＯＦＦ操作やテンキー操作部９を用いて入力された電番／ＵＲＬへの発信／アクセスなどを行なうためのものであり、切断／保留ボタン５は、回線の切断や通話時の保留操作などを行なうためのものである。
【００１６】
また、画面切換用ワンタッチボタン６は、液晶ディスプレイ（以下、単に「ディスプレイ」という）３の表示を切り換えるためのもので、本実施形態では、後述するように、フォーンツー機能を用いた発信（発呼）処理の開始後にこのボタン６を押下すると、発信前にディスプレイ３に表示していた電子メールやＷｅｂデータを表示させることができるようになっている。
【００１７】
さらに、カーソルボタン７ａ〜７ｄは、ディスプレイ３上での文字入力操作やディスプレイ３に表示中の電番，ＵＲＬ，メニュー等の選択操作を行なう時に、ディスプレイ３上でカーソルを上下左右方向に移動させるためのもので、本実施形態では、例えば、これらのカーソルボタン７ａ〜７ｄによるカーソル移動により、ディスプレイ３に表示中のデータ（電子メールやＷｅｂデータなど）にハイパーリンクなどで添付されている或る電番やＵＲＬを選択した状態で、決定ボタン８を押下すると、その電番やＵＲＬへの発呼（アクセス）が自動的に実行されるようになっている。
【００１８】
つまり、上記の決定ボタン８は、本実施形態においては、フォーンツー機能を実行するためのフォーンツーボタン（通話開始用ワンタッチボタン）としての機能と、ワンタッチで電子メールやＷｅｂデータなどに添付されているＵＲＬにアクセスするためのブラウジング用ワンタッチボタンとしての機能とを兼ね備えているのである。
【００１９】
また、上記のテンキー操作部９は、電番入力や文字入力を行なうためのボタン群で、例えば、このテンキー操作部９を用いて電番やＵＲＬを個別入力した場合は、上記の電源／通話ボタン４を押下することで、その電番やＵＲＬへの発呼処理／アクセス（データ通信）処理が実行されるようになっている。
そして、本実施形態の携帯電話１は、以上のような機能を実現すべく、その要部の内部構成に着目すると、例えば図２に示すように、上述したアンテナ部２およびディスプレイ３に加えて、無線部１１，メインメモリ１２，ブラウザ制御部１３Ａ，電子メール制御部１３Ｂ，音声入出力部１４，ボタン入力検出部１５および制御部１６をそなえて構成されている。
【００２０】
ここで、無線部１１は、送信データ（音声や電子メールデータなど）を無線周波数（ＲＦ）信号にまでアップコンバートして送出する一方、ＲＦ信号として受信される音声や電子メールデータなどをベースバンド信号にまでダウンコンバートするための機能を有するものであり、メモリ１２は、所要のデータを記憶しておくためのもので、このメモリ１２に、上述した電子メールデータやインターネットブラウジングによって取得したＷｅｂデータなどが保存されるようになっている。
【００２１】
さらに、ブラウザ制御部１３Ａは、インターネットブラウジング（ＵＲＬへのアクセス）の制御を行なうためのものであり、電子メール制御部１３Ｂは、電子メールの送受信を制御するためのものである。なお、本携帯電話１が電子メールの送受信のみ可能な端末の場合、上記のブラウザ制御部１３Ａは不要である。
また、音声入出力部１４は、音声通話時の音声の入出力部分で、例えば、マイクやスピーカなどにより構成されている。なお、ここでは、所定のボタン操作を行なったり、イヤホンマイク等を接続することで、携帯電話１は、ハンズフリー通話を行なうことも可能になっている。
【００２２】
さらに、上記のボタン入力検出部１５は、上記の電源／通話ボタン４，切断／保留ボタン５，画面切換用ワンタッチボタン６，カーソルボタン７ａ〜７ｄ，決定ボタン８，テンキー操作部９などによる各種ボタン操作を検出するためのもので、このボタン入力検出部１５において、上述したフォーンツー操作も検出されるようになっている。つまり、このボタン入力検出部１５は、図２中に示すように、データ表示部に表示中の電子メールデータやＷｅｂデータなどに添付されている電番情報に対するフォーンツー操作（選択・決定操作）を検出するフォーンツー（選択・決定操作）検出部１５ａとしての機能も有しているのである。
【００２３】
また、制御部１６は、上述した無線部１１やメモリ１２，ブラウザ制御部１３Ａ，電子メール制御部１３Ｂ，ディスプレイ３，音声入出力部１４などの各部に対する制御を統括的に行なって、携帯電話１全体の動作を制御するためのものであるが、本実施形態では、上記のボタン入力検出部１５（フォーンツー検出部１５ａ）にて上記のフォーンツー操作が検出されると、ディスプレイ３に表示中のデータに添付されている電番情報への発呼処理を実行する発呼制御部１６ａとしての機能や、この発呼制御部１６ａによる発呼処理開始後にディスプレイ３を発呼開始前の表示状態に制御する表示制御部１６ｂとしての機能も有している。
【００２４】
ここで、この表示制御部１６ｂは、本実施形態では、例えば、上記の発呼処理が開始されると、一旦、ディスプレイ３を発呼処理中であることを示す画面（発呼電番の点滅など；図６参照）に切り換えた後、発呼前の画面（データ）を再表示する、あるいは、発呼前の表示画面（データ表示）は維持したままで発呼中表示（アイコンの点灯や点滅など；図７参照）を並行して行なう。
【００２５】
つまり、本実施形態の表示制御部１６ｂは、上記の発呼制御部１６ａによる発呼処理が開始されると、ディスプレイ３を発呼中表示に制御した後、データの再表示状態に制御する再表示制御部１６１としての機能と、発呼制御部１６ａによる発呼処理が開始されると、ディスプレイ３を発呼処理中表示と電子メールデータやＷｅｂデータなどの表示との並行表示状態に制御する並行表示制御部１６２としての機能を兼ね備えているのである。
【００２６】
なお、これらの各機能は例えばそれぞれに専用もしくは共通のソフトウェアによって実現される。また、発呼処理が開始された場合、その時にディスプレイ３に表示されていたデータは、再表示あるいは並行表示のために、一旦、上記の表示データ保存メモリ３１に保存される。さらに、上述した各表示方法は、「再表示モード」，「並行表示モード」などとしてユーザ設定により適宜選択できるようにすることも可能である。
【００２７】
ここで、「再表示モード」での再表示制御部１６１による表示状態の制御（画面切り換え）タイミングは、発呼処理開始後に画面切換用ワンタッチボタン６が押下されて、これがボタン入力検出部１５にて検出された時点でもよいし、発呼処理開始後に通信相手との接続が確立〔例えば、シグナリングメッセージ(CONNECT ACK）を受信〕して音声通話状態に移行したことが制御部１６において確認された時点でもよい。
【００２８】
以下、上述のごとく構成された本実施形態の携帯電話１の動作について詳述する。
まず、携帯電話１のユーザが、例えば図３に示すようなメニュー画面から「受信メール一覧」を選択（反転表示部分３２参照）して、図４に示すような「受信メール一覧」画面を表示させ、その中から確認したい（表示させたい）受信メールを選択（反転表示部分３３参照）したとする。すると、制御部１６が、メモリ１２から該当する受信メールデータを取り出して、ディスプレイ３の表示データ保存メモリ３１に出力することで、例えば図５に示すような表示画面（受信メールデータ）がディスプレイ３に表示される。
【００２９】
ここで、表示された受信メールには、図５中に示すように、例えばその電子メールの送信者の連絡先電話番号（この場合は携帯電話番号）がハイパーリンクなどによって添付されており（反転表示部分３４参照）、携帯電話１のユーザは、カーソルボタン７ａ〜７ｄおよび決定ボタン（フォーンツーボタン）８を用いて、その連絡先電話番号を選択・決定することで、その電番に電話をかけることができる。
【００３０】
このとき、携帯電話１内では、図８に示すように、ボタン入力検出部１４にてフォーンツーボタン８の押下が検出されるか否かを監視しており（ステップＡ１のＮＯルート）、上述のごとくこのフォーンツーボタン８が押下されると、これがボタン入力検出部１５（フォーンツー検出部１５ａ）にて検出されて（ステップＡ１のＹＥＳルート；選択・決定操作検出ステップ）、制御部１６（発呼制御部１６ａ）による選択電番への発呼処理が実行（開始）される（ステップＡ２；発呼ステップ）。
すると、制御部１６は、表示制御部１６ｂにより、ディスプレイ３上の現画面情報（電子メールデータ；図５参照）を表示データ保存メモリ３１に保存させたのち（ステップＡ３）、現在、携帯電話１に設定されている表示モードが「再表示モード」，「並行表示モード」のいずれに設定されているかを確認する（ステップＡ４）。
【００３１】
この結果、「再表示モード」が設定されていれば、表示制御部１６ｂは、再表示制御部１６１により、例えば図６に示すように、ディスプレイ３を発呼中表示（発呼番号の点灯や点滅）に制御する（ステップＡ４のＹＥＳルートからステップＡ５；発呼中状態表示ステップ）。このように発呼番号を点灯／点滅表示することで、通信相手に対する発呼が正常に行なわれているか否かを確認することができるので、間違い電話などの発呼時の誤操作を防止することができる。
【００３２】
その後、制御部１６は、画面切換用ワンタッチボタン６の押下がボタン入力検出部１５にて検出されるか、通話相手との接続が確立するかを監視する（ステップＡ６のＮＯルート及びステップＡ７のＮＯルート）。そして、例えば、接続が確立する前（ステップＡ７でＹＥＳと判定される前）にユーザによる画面切換用ワンタッチボタン６の押下がボタン入力検出部１５にて検出される（ステップＡ６でＹＥＳの場合）、あるいは、ユーザによる画面切換用ワンタッチボタン６の押下がボタン入力検出部１５にて検出される前（ステップＡ６でＹＥＳと判定される前）に接続が確立する（ステップＡ７でＹＥＳの場合）と、再表示制御部１６１が、表示データ保存メモリ３１に保存された上記の画面情報をディスプレイ３に再表示させる（ステップＡ８；再表示ステップ）。
【００３３】
つまり、携帯電話１のユーザは、発呼処理の開始後、接続が確立するまでに任意のタイミングで画面切換用ワンタッチボタン６を押下することで、手動にて任意に発呼前の表示画面をディスプレイ３に再表示させることもできるし、接続が確立するまで画面切換用ワンタッチボタン６を押下しないことで、自動で発呼前の表示画面をディスプレイ３に再表示させることもできるのである。従って、ユーザの意志に応じて、その利便性が向上したり、操作の手間が省けたりする。ただし、いずれの場合にも、接続が確立して通話状態に移行した場合には、発呼前の表示画面が再表示されることになるので、ユーザは、確実に、データを参照しながらの音声通話が可能である。
【００３４】
一方、上記のステップＡ４において、表示モードとして「並行表示モード」が設定されていた場合（ステップＡ４でＮＯの場合）、表示制御部１６ｂは、並行表示制御部１６２により、例えば図７に示すように、発呼前の表示画面を維持したまま、発呼中を示すアイコン３５などを並行してディスプレイ３に表示することで、発呼中表示と発呼前の表示データの表示とを並行して行なう（ステップＡ９，Ａ１０；並行表示ステップ）。この場合、ユーザは、受信メールの内容を参照しながら発呼状態も確認できるので、発呼時の誤操作などを防止できることに加えて、例えば、メール参照時間が少しでも長くなり、この結果、通信相手（メール送信者）との通話開始後のコミュニケーションがより円滑になると思われる。
【００３５】
以上のように、本実施形態の携帯電話１では、フォーンツー機能などにより、受信メールに添付されている電番情報への発呼を実行しても、発呼前にディスプレイ３に表示していたデータが発呼開始後にもディスプレイ３に表示されるので、ユーザは、そのデータ内容を参照しながら発呼相手と通話することが可能になる。従って、通話時の相互の認識ずれなどが抑制されて、音声通話のみの場合よりも通話相手と円滑なコミュニケーションを図ることができ、相互のコミュニケーション環境が大幅に向上し、これにより、通話時間の短縮化，通話料金の削減などに大きく寄与する。
【００３６】
なお、上述した実施形態では、主に、電番情報の添付されているデータが電子メールデータである場合について説明したが、勿論、電番情報が添付可能でフォーンツー機能などによりワンタッチでその電番への発信が実行できれば、Ｗｅｂデータでもよいし、その他のデータであってもよい。また、上述した例では、決定ボタン（フォーンツーボタン）８と画面切換用ワンタッチボタン６とが異なるボタンとして用意されている場合を前提にしているが、勿論、同一ボタンでこれらの各ボタン機能を兼用するようにしてもよいし、これら以外の他のボタンについても、同一ボタンで複数機能を兼用するようになっていてもよい。
【００３７】
さらに、上述した例では、ディスプレイ３上での発呼番号の点灯や点滅表示が「再表示モード」の場合に行なわれる場合について説明したが、「並行表示モード」においても、例えば、図７に示すアイコン表示の代わりに同様の表示を行なうようにしてもよい。このようにすれば、間違い電話を防止することも可能になる。また、発呼中のみならず、接続（通話）中にも、それを表わすアイコンをディスプレイ３上で並行表示するようにしてもよい。
【００３８】
また、電子メールデータがディスプレイ３に１度に表示できるサイズ以上のデータ量である場合、そのデータは複数ページにわたることになるが、このような場合でも、複数ページ分の画面情報を表示データ保存メモリ３１に保存させるようにすれば、例えば、カーソルボタン７ａ〜７ｄや画面切換用ワンタッチボタン６などで表示ページの切り換えを行なうことが可能である。
【００３９】
さらに、このように表示データが複数ページにわたる場合、ディスプレイ３に再表示（あるいは、並行表示）するページは、発呼前にディスプレイ３で表示していた（ユーザが閲覧していた）ページでもよいし、自動的にそのデータの先頭ページなどの特定ページに切り換えてもよい。また、複数分の電子メールデータやＷｅｂデータを表示データ保存メモリ３１に保存できるようにして、これらを画面切換用ワンタッチボタン６で切り換え表示できるようにしてもよい。
【００４０】
さらに、上述した例では、携帯電話１が、「再表示モード」と「並行表示モード」との両モードを有している場合について説明したが、勿論、本発明はこれに限定されず、いずれか一方のモード（つまり、再表示制御部１６１，並行表示制御部１６２のいずれか）のみを有するようにしてもよい。また、上記の「再表示モード」では、通信相手との接続が確立すると、必ず、発呼前の表示画面が再表示されるようになっているが、例えば、画面切換用ワンタッチボタン６の押下による切り換えのみを有効にして、接続の確立前後に関わらず、常に手動での再表示を行なうようにしてもよい。
【００４１】
さらに、上述した例では、携帯無線端末として携帯電話１を適用した場合について説明したが、無線による音声通話機能をそなえていればＰＤＡなどの携帯端末でもよい。
そして、本発明は上述した実施形態に限定されず、上記以外にも、本発明の趣旨を逸脱しない範囲で種々変形して実施することができる。
【００４２】
【発明の効果】
以上詳述したように、本発明によれば、データ表示部に表示中のデータに添付されている電番情報に対する選択・決定操作が行なわれると、自動的に、その電番情報への発呼が実行され、この発呼の実行（開始）後、データ表示部の表示状態を、上記データの表示状態に更新制御するので、発呼処理開始後、つまり、発呼中やその後の音声通話中も上記データの閲覧が可能である。従って、音声通話のみの場合よりも通話相手と円滑なコミュニケーションを図ることができ、相互のコミュニケーション環境が大幅に向上する。
【００４３】
ここで、上記の表示制御部に、上記の発呼処理が開始されると、上記のデータ表示部を発呼処理中表示状態に制御した後、上記データの表示状態に制御する再表示制御部をそなえれば、データ表示部は、上記の発呼処理の開始により、一旦、発呼処理中であることを示す表示状態となった後で上記データの再表示状態となるので、上記データの表示前に発呼が正常に行なわれているか否かを確認することができ、例えば、電話のかけ間違いや無線端末の誤操作を防止することができる。
【００４４】
なお、この再表示制御部は、上記のデータ表示部を上記発呼処理中表示状態に制御した後、表示切換操作が行なわれることによりデータ表示部を上記データの表示状態に制御するように構成すれば、発呼処理開始後に、手動（表示切換操作）により任意のタイミングで、上記データをデータ表示部に表示させることができるので、ユーザは発呼処理の開始後、いつでも手動でデータを再表示させることができ、利便性が向上する。
【００４５】
また、本再表示制御部は、データ表示部を上記発呼処理中状態に制御した後、音声通話状態に移行すると、データ表示部を上記データの表示状態に制御するように構成してもよい。このようにすれば、発呼処理後に通話相手との音声通話状態に移行すると、自動的に、データ表示部に上記データが表示されるので、手動で表示切換を行なわなくても、音声通話状態では、確実に、データが再表示され、操作の手間が省ける。
【００４６】
さらに、本発明に関連する技術の携帯無線端末は、上記発呼処理が開始されると、データ表示部の表示状態を、メモリに保存されたデータの表示と発呼処理中表示との並行表示状態に更新制御する並行表示制御部をそなえていてもよい。本並行表示制御部をそなえれば、データ表示部に上記データを表示したまま発呼処理中表示（並行表示ステップ）を行なうことができるので、上記データを参照しながら発呼の状態も確認できる。従って、発呼処理の正常性を確認することができるとともに、この場合は、データ参照時間が少しでも長くなって通話相手とのより円滑なコミュニケーションが可能になる。
【図面の簡単な説明】
【図１】本発明の一実施形態としての携帯電話（携帯無線端末）の外観例を模式的に示す平面図である。
【図２】図１に示す携帯電話の要部の内部構成例を示すブロック図である。
【図３】本実施形態の携帯電話におけるデータ表示方法を説明するための画面表示例を示す図である。
【図４】本実施形態の携帯電話におけるデータ表示方法を説明するための画面表示例を示す図である。
【図５】本実施形態の携帯電話におけるデータ表示方法を説明するための画面表示例を示す図である。
【図６】本実施形態の携帯電話におけるデータ表示方法を説明するための画面表示例を示す図である。
【図７】本実施形態の携帯電話におけるデータ表示方法を説明するための画面表示例を示す図である。
【図８】本実施形態の携帯電話におけるデータ表示方法を説明するためのフローチャートである。
【符号の説明】
１  携帯電話（携帯無線端末）
２  アンテナ部
３  液晶ディスプレイ（ＬＣＤ；データ表示部）
４  電源／通話ボタン
５  切断／保留ボタン
６  画面切換用ワンタッチボタン
７ａ〜７ｄ  カーソルボタン
８  決定ボタン（フォーンツーボタン）
９  テンキー操作部
１１  無線部
１２  メモリ
１３Ａ  ブラウザ制御部
１３Ｂ  電子メール制御部
１４  音声入出力部
１５  ボタン入力検出部
１５ａ  選択・決定操作検出部
１６  制御部
１６ａ  発呼制御部
１６ｂ  表示制御部
３１  表示データ保存メモリ
３５  アイコン
１６１  再表示制御部
１６２  並行表示制御部
【図１】
0004190125.tif 000002
【図２】
0004190125.tif 000003
【図３】
0004190125.tif 000004
【図４】
0004190125.tif 000005
【図５】
0004190125.tif 000006
【図６】
0004190125.tif 000007
【図７】
0004190125.tif 000008
【図８】
0004190125.tif 000009